(57)【要約】【課題】紙幣とヘッダーカードとが重なった状態で紙幣処理装置に取り込まれるのを抑制することが可能なヘッダーカード、ヘッダーカードシステム及び紙葉類処理方法を提供する。【解決手段】紙葉類と重ねて紙葉類処理装置の載置部に載置され、前記紙葉類と分離されて前記紙葉類処理装置に取り込まれるヘッダーカードであって、前記ヘッダーカードは、表面に、第１部分と、前記第１部分と異なる材料で構成された第２部分とを備え、前記第２部分は、合成高分子化合物を含むヘッダーカードである。【選択図】図３
2020052649.tif 000002
【特許請求の範囲】
【請求項１】
紙葉類と重ねて紙葉類処理装置の載置部に載置され、前記紙葉類と分離されて前記紙葉類処理装置に取り込まれるヘッダーカードであって、
前記ヘッダーカードは、表面に、第１部分と、前記第１部分と異なる材料で構成された第２部分とを備え、
前記第２部分は、合成高分子化合物を含むことを特徴とするヘッダーカード。
【請求項２】
前記第２部分は、前記ヘッダーカードの両面に設けられていることを特徴とする請求項１に記載のヘッダーカード。
【請求項３】
前記ヘッダーカードの第１面に設けられた前記第２部分と、前記ヘッダーカードの第２面に設けられた前記第２部分とは、平面視において互いに重なる位置に設けられていることを特徴とする請求項２に記載のヘッダーカード。
【請求項４】
前記ヘッダーカードは、長方形に形成され、
前記第２部分は、前記ヘッダーカードの長手方向又は短手方向の少なくとも一方に沿って、前記ヘッダーカードの縁部に設けられていることを特徴とする請求項１〜３のいずれかに記載のヘッダーカード。
【請求項５】
前記第２部分は、前記ヘッダーカードの縁部以外の部分に設けられていることを特徴とする請求項１〜４のいずれかに記載のヘッダーカード。
【請求項６】
前記第２部分は、前記ヘッダーカードに直交する回転軸線及び前記ヘッダーカードに平行な回転軸線の少なくとも一方を回転中心とする、回転対称形状を有することを特徴とする請求項１〜５のいずれかに記載のヘッダーカード。
【請求項７】
前記第２部分を含む領域の厚みは、前記第１部分を含む領域の厚みよりも大きいことを特徴とする請求項１〜６のいずれかに記載のヘッダーカード。
【請求項８】
前記第１部分は、紙を含み、
前記第２部分は、ポリアセタール、ナイロン、フッ素樹脂、ポリオレフィン、アクリル樹脂、ポリイミド、ポリエーテル、ポリエステル及びポリ塩化ビニルからなる群より選択される少なくとも一種の合成高分子化合物を含むことを特徴とする請求項１〜７のいずれかに記載のヘッダーカード。
【請求項９】
前記第１部分及び前記第２部分の少なくとも一方に磁気情報部を更に備え、
前記磁気情報部は、ヘッダーカードであることを認識するための情報を含むことを特徴とする請求項１〜８のいずれかに記載のヘッダーカード。
【請求項１０】
請求項１〜９のいずれかに記載のヘッダーカードと、
媒体としての前記ヘッダーカード及び前記紙葉類を載置する載置部を含む紙葉類処理装置とを備え、
前記載置部は、前記媒体を前記紙葉類処理装置内に搬送するためのフィードローラと、前記フィードローラに対向して配置されるゲートローラと、を含み、
前記フィードローラ及び前記ゲートローラは、前記ヘッダーカードに対向した際に、前記第１部分と接触する位置に配置され、
前記ヘッダーカードの前記第２部分と前記紙葉類との摩擦係数は、前記ゲートローラと前記ヘッダーカードの前記第１部分との摩擦係数より小さいことを特徴とするヘッダーカードシステム。
【請求項１１】
前記ゲートローラは、前記フィードローラと反対方向に回転し、
前記ゲートローラは、前記ヘッダーカードに対向した際に、前記第１部分と接触する位置に配置されていることを特徴とする請求項１０に記載のヘッダーカードシステム。
【請求項１２】
前記載置部は、前記フィードローラと同じ方向に回転して前記媒体を前記フィードローラに向けて搬送するキックローラを含み、
前記キックローラは、前記ヘッダーカードに対向した際に、前記第１部分と接触する位置に配置され、
前記ヘッダーカードの前記第２部分と前記紙葉類との摩擦係数は、前記キックローラと前記紙葉類との摩擦係数より小さいことを特徴とする請求項１１に記載のヘッダーカードシステム。
【請求項１３】
紙葉類と重ねて紙葉類処理装置の載置部に載置され、前記紙葉類と分離されて前記紙葉類処理装置に取り込まれるヘッダーカードを用いた紙葉類処理方法であって、
第１部分と、前記第１部分と異なる材料で構成された第２部分とを表面に備え、かつ前記第２部分が合成高分子化合物を含むヘッダーカードを用いたことを特徴とする紙葉類処理方法。
【発明の詳細な説明】
【技術分野】
【０００１】
本発明は、ヘッダーカード、ヘッダーカードシステム及び紙葉類処理方法に関する。より詳しくは、紙幣等の紙葉類と重ねて紙葉類処理装置の載置部に載置されるヘッダーカードと、そのヘッダーカードを用いたヘッダーカードシステム及び紙葉類処理方法とに関する。
【背景技術】
【０００２】
従来、小売店等の複数の顧客から銀行に対して入金された現金（紙幣束）を計数する場合、予め入金伝票の内容（口座番号や金額といった入金情報）との関係を登録したシリアルナンバーが付されたヘッダーカードを各入金間に挟んだ状態で紙幣処理装置の載置部にセットし、このセットしたヘッダーカード及び紙幣を連続的に取り込んで計数する手法が知られている。この手法では、ヘッダーカードを入金の区切りとして認識し、かつヘッダーカードのシリアルナンバーを読み取って計数と対応させることで、入金毎に計数を得ることができる。
【０００３】
また、特許文献１には、上記手法に関して、紙幣処理装置への取り込みエラー（misfeed）が起き、ヘッダーカードと紙幣とが重なって紙幣処理装置に取り込まれた場合でも、ヘッダーカードを読み取れるようにヘッダーカードに磁気ストリップを設ける技術が開示されている。
【先行技術文献】
【特許文献】
【０００４】
【特許文献１】米国特許第５９１７９３０号明細書
【発明の概要】
【発明が解決しようとする課題】
【０００５】
上記特許文献１の技術では、ヘッダーカードと紙幣とが重なって紙幣処理装置に取り込まれた場合にヘッダーカードを読み取れるように、磁気ストリップを設けることによってヘッダーカードの読み取りを担保している。
【０００６】
しかしながら、上記特許文献１の技術では、磁気ストリップへの磁気情報の書き込み等の作業が煩雑であるとともに、ヘッダーカードと紙幣とが重なって紙幣処理装置に取り込まれるという課題そのものは解決されない。
【０００７】
本発明は、上記現状に鑑みてなされたものであり、紙幣とヘッダーカードとが重なった状態で紙幣処理装置に取り込まれるのを抑制することが可能なヘッダーカード、ヘッダーカードシステム及び紙葉類処理方法を提供することを目的とするものである。
【課題を解決するための手段】
【０００８】
上述した課題を解決し、目的を達成するために、本発明は、紙葉類と重ねて紙葉類処理装置の載置部に載置され、前記紙葉類と分離されて前記紙葉類処理装置に取り込まれるヘッダーカードであって、前記ヘッダーカードは、表面に、第１部分と、前記第１部分と異なる材料で構成された第２部分とを備え、前記第２部分は、合成高分子化合物を含むことを特徴とする。
【０００９】
また、本発明は、上記発明において、前記第２部分は、前記ヘッダーカードの両面に設けられていることを特徴とする。
【００１０】
また、本発明は、上記発明において、前記ヘッダーカードの第１面に設けられた前記第２部分と、前記ヘッダーカードの第２面に設けられた前記第２部分とは、平面視において互いに重なる位置に設けられていることを特徴とする。
【００１１】
また、本発明は、上記発明において、前記ヘッダーカードは、長方形に形成され、前記第２部分は、前記ヘッダーカードの長手方向又は短手方向の少なくとも一方に沿って、前記ヘッダーカードの縁部に設けられていることを特徴とする。
【００１２】
また、本発明は、上記発明において、前記第２部分は、前記ヘッダーカードの縁部以外の部分に設けられていることを特徴とする。
【００１３】
また、本発明は、上記発明において、前記第２部分は、前記ヘッダーカードに直交する回転軸線及び前記ヘッダーカードに平行な回転軸線の少なくとも一方を回転中心とする、回転対称形状を有することを特徴とする。
【００１４】
また、本発明は、上記発明において、前記第２部分を含む領域の厚みは、前記第１部分を含む領域の厚みよりも大きいことを特徴とする。
【００１５】
また、本発明は、上記発明において、前記第１部分は、紙を含み、前記第２部分は、ポリアセタール、ナイロン、フッ素樹脂、ポリオレフィン、アクリル樹脂、ポリイミド、ポリエーテル、ポリエステル及びポリ塩化ビニルからなる群より選択される少なくとも一種の合成高分子化合物を含むことを特徴とする。
【００１６】
また、本発明は、上記発明において、前記ヘッダーカードは、前記第１部分及び前記第２部分の少なくとも一方に磁気情報部を更に備えてもよく、前記磁気情報部は、ヘッダーカードであることを認識するための情報を含むことを特徴とする。
【００１７】
また、本発明は、ヘッダーカードシステムであって、前記ヘッダーカードシステムは、前記ヘッダーカードと、媒体としての前記ヘッダーカード及び前記紙葉類を載置する載置部を含む紙葉類処理装置とを備え、前記載置部は、前記媒体を前記紙葉類処理装置内に搬送するためのフィードローラと、前記フィードローラに対向して配置されるゲートローラと、を含み、前記フィードローラ及び前記ゲートローラは、前記ヘッダーカードに対向した際に、前記第１部分と接触する位置に配置され、前記ヘッダーカードの前記第２部分と前記紙葉類との摩擦係数は、前記ゲートローラと前記ヘッダーカードの前記第１部分との摩擦係数より小さいことを特徴とする。
【００１８】
また、本発明は、上記発明において、前記ゲートローラは、前記フィードローラと反対方向に回転し、前記ゲートローラは、前記ヘッダーカードに対向した際に、前記第１部分と接触する位置に配置されていることを特徴とする。
【００１９】
また、本発明は、上記発明において、前記載置部は、前記フィードローラと同じ方向に回転して前記媒体を前記フィードローラに向けて搬送するキックローラを含み、前記キックローラは、前記ヘッダーカードに対向した際に、前記第１部分と接触する位置に配置され、前記ヘッダーカードの前記第２部分と前記紙葉類との摩擦係数は、前記キックローラと前記紙葉類との摩擦係数より小さいことを特徴とする。
【００２０】
また、本発明は、紙葉類と重ねて紙葉類処理装置の載置部に載置され、前記紙葉類と分離されて前記紙葉類処理装置に取り込まれるヘッダーカードを用いた紙葉類処理方法であって、前記紙葉類処理方法は、第１部分と、前記第１部分と異なる材料で構成された第２部分とを表面に備え、かつ前記第２部分が合成高分子化合物を含むヘッダーカードを用いたことを特徴とする。
【発明の効果】
【００２１】
本発明のヘッダーカード、ヘッダーカードシステム及び紙葉類処理方法によれば、紙幣とヘッダーカードとが重なった状態で紙幣処理装置に取り込まれるのを抑制することができる。
【図面の簡単な説明】
【００２２】
【図１】実施形態１に係るヘッダーカードシステムの構成を示した断面模式図である。
【図２】実施形態１に係る紙幣処理装置の載置部を示した断面模式図である。
【図３】実施形態１に係るヘッダーカードを示した模式図であり、（ａ）は、平面図であり、（ｂ）は、（ａ）中のＡ−Ｂ線における断面図である。
【図４】（ａ）〜（ｆ）は、実施形態１に係るヘッダーカードの平面模式図であり、第２部分の配置パターンの例を示す。
【図５】（ａ）〜（ｄ）は、実施形態１に係るヘッダーカードの平面模式図であり、第２部分の配置パターンの別の例を示す。
【図６】実施形態１に係るヘッダーカードの断面模式図であり、図３（ａ）中のＣ−Ｄ線における断面の例を示す。
【図７】実施形態１に係るヘッダーカードの断面模式図であり、図３（ａ）中のＣ−Ｄ線における断面の別の例を示す。
【図８】実施形態１に係るヘッダーカードの断面模式図であり、図３（ａ）中のＣ−Ｄ線における断面の更に別の例を示す。
【図９】実施形態１に係るヘッダーカードの変形例の平面模式図である。
【図１０】実施形態１に係るヘッダーカードシステムにおけるヘッダーカードと載置部の各ローラとの配置関係を説明するための平面模式図である。
【図１１】実施形態１に係るヘッダーカードシステムにおけるヘッダーカードと載置部の各ローラとの摩擦係数を説明するための断面模式図であり、紙幣を繰り出す場合を示す。
【図１２】実施形態１に係るヘッダーカードシステムにおけるヘッダーカードと載置部の各ローラとの摩擦係数を説明するための別の断面模式図であり、ヘッダーカードを繰り出す場合を示す。
【発明を実施するための形態】
【００２３】
以下、本発明に係るヘッダーカード、ヘッダーカードシステム及び紙葉類処理方法の好適な実施形態を、図面を参照しながら説明する。以下においては、紙幣を対象とする紙幣処理装置の載置部に紙幣と積層されるヘッダーカードと、そのヘッダーカードを用いたヘッダーカードシステム及び紙幣処理方法を例として本発明について説明する。
【００２４】
本発明に係るヘッダーカードは、紙葉類を仕切るためのセパレータカードとして機能するため、本発明に係るヘッダーカードは、トレーラーカードの概念を含んでいる。なお、ヘッダーカードとは、該ヘッダーカードとリンクされた紙幣束とともに使用され、該紙幣束よりも先に紙葉類処理装置に取り込まれるカードである。また、トレーラーカードとは、該トレーラーカードとリンクされた紙幣束とともに使用され、該紙幣束よりも後に紙葉類処理装置に取り込まれるカードである。すなわち、ヘッダーカード及びトレーラーカードは、紙幣束との関係で紙葉類処理装置に取り込まれる順番が異なるが、セパレータカードとして機能する点は共通する。
【００２５】
図１〜２を用いて、本実施形態に係るヘッダーカードシステムの構成について説明する。
本実施形態のヘッダーカードシステム１は、ヘッダーカード１０と、ヘッダーカード１０を紙幣１００とともに処理する紙幣処理装置２０とを備えている。
【００２６】
紙幣処理装置２０は、各種情報の入力を受け付ける操作部及び各種情報を画面上に表示する表示部の機能を有する操作表示部（図示せず）と、操作者が載置した媒体としての紙幣１００及びヘッダーカード１０を、一番下にある媒体から順次、１枚ずつ装置２０内に繰り出す載置部３０と、紙幣１００を搬送する搬送路４０と、搬送路４０を搬送される紙幣１００の金種を識別する識別部５０と、識別された紙幣１００を金種毎に集積する集積部６０ａ〜６０ｄと、識別できなかった紙幣１００等のリジェクト紙幣を集積するリジェクト部８０とを有している。
【００２７】
図２に示すように、載置部３０は、媒体が平積みされるステージ３１と、ステージ３１に載置された媒体を装置２０内に搬送するためのフィードローラ３２と、フィードローラ３２に対向して配置されるゲートローラ３３と、ステージ３１上の媒体をフィードローラ３２に向けて搬送するキックローラ３４とを含んでいる。フィードローラ３２の外周面における周方向の一部にはゴム部材（図示せず）が設けられている。ゲートローラ３３の外周面の全周にはゴム部材（図示せず）が設けられている。キックローラ３４の外周面における周方向の一部にはゴム部材（図示せず）が設けられている。フィードローラ３２及びキックローラ３４は、媒体の繰り出し方向に回転する。載置部３０は、フィードローラ３２とゲートローラ３３との間に隙間が空いたギャップ式であってもよいし、フィードローラ３２とゲートローラ３３とが互いに接触した圧接式であってもよい。
【００２８】
ギャップ式の場合、フィードローラ３２とゲートローラ３３との間には、少なくとも紙幣１００の１枚分の厚さに相当する間隙が設けられている。そして、ゲートローラ３３は、フィードローラ３２及びキックローラ３４と反対方向に回転する。なお、ここで説明した、ギャップ式に関し、各ローラの構成及び動作は一例であり、この構成及び動作に特に限定されるものではない。
【００２９】
圧接式の場合、フィードローラ３２の外周面は、ゲートローラ３３の外周面と接触する。また、ゲートローラ３３とその軸との間にはトルクリミッタ（図示せず）が配設されている。フィードローラ３２及びキックローラ３４が媒体を装置２０内に送り出す方向（図２における反時計回り）に回転し、ゲートローラ３３はフィードローラ３２と反対方向に回転する。なお、ここで説明した、圧接式に関し、各ローラの構成及び動作は一例であり、この構成及び動作に特に限定されるものではない。
【００３０】
このような載置部３０では、集積状態にある複数の媒体のうち最下層にある媒体をキックローラ３４が図２における左方向に蹴り出し、蹴り出された媒体は、フィードローラ３２とゲートローラ３３との間に形成されたゲート部３５により１枚ずつ装置２０内に繰り出される。
【００３１】
識別部５０は、例えば、紙幣１００の透過画像、及び、紙幣１００の上面及び下面のそれぞれの反射画像を取得する光学ラインセンサ（図示せず）と、紫外光を照射して励起される発光を検知するＵＶセンサ（図示せず）と、紙幣１００の厚みを検知する厚み検知センサ（図示せず）と、紙幣１００の磁気特性を検知する磁気検知センサ（図示せず）とを有している。識別部５０は、これらのセンサによって得られた紙幣１００の光学特性、磁気特性、厚み等に基づいて、紙幣１００の金種、真偽、正損、表裏、方向等を識別する。また、識別部５０は、これらのセンサによってヘッダーカード１０を検知（認識）する。
【００３２】
このようなヘッダーカードシステム１では、まず、各顧客から送金された入金現金（紙幣束）に添付された入金伝票に記載の口座番号や金額といった入金情報を、入金現金毎にそれぞれヘッダーカード１０にリンクさせる。すなわち、各ヘッダーカード１０には、バーコード等によりシリアルナンバー（図示せず）が印刷されており、各シリアルナンバーと、そのシリアルナンバーをもつヘッダーカード１０と一緒に処理される紙幣束の入金情報とが紐付けられた状態で所定の記憶部（図示せず）に記憶される。続いて、各紙幣束の先頭にそれぞれ対応する（リンクされた）ヘッダーカード１０を配置して載置部３０に載置する。図１に示す例では、紙幣束の下方に、当該紙幣束に対応するヘッダーカード１０を配置する。そして、識別部５０によって載置部３０に載置された媒体（ヘッダーカート１０及び紙幣束）を識別するとともに、各紙幣１００を金種に応じていずれかの集積部６０ａ〜６０ｄに集積し、ヘッダーカード１０をリジェクト部８０に集積する。このとき、ヘッダーカード１０が設けられているため、ヘッダーカード１０で区切られた紙幣束毎に計数処理が行われる。最後に、各紙幣束について、記憶部に記憶された金額と、紙幣処理装置２０によって算出された金額とが一致しているかを照合することによって、入金伝票に記載の金額通りに入金現金が送金されたか否かを判定する。
【００３３】
次に、本実施形態に係るヘッダーカードについて説明する。
本実施形態の特徴は、ヘッダーカード１０の表面に、紙幣１００との関係で摩擦係数が小さい領域（第２部分）を設けることである。
【００３４】
より具体的には、図３（ａ）及び（ｂ）に示すように、本実施形態に係るヘッダーカード１０は、長方形状のシートであり、表面に、第１部分１１と、第１部分１１と異なる材料、具体的には合成高分子化合物を含む材料で構成された第２部分１２とを備えている。すなわち、ヘッダーカード１０は、第２部分１２を表面に備える。ヘッダーカード１０を紙幣１００と積層させて紙幣処理装置２０に取り込む際、ヘッダーカード１０の第２部分１２が紙幣１００と接触することになるが、第２部分１２は、合成高分子化合物を含んで構成されることから、ヘッダーカード１０の表面において第２部分１２を紙幣１００との関係で摩擦係数が小さい領域とすることができる。したがって、ヘッダーカード１０を紙幣処理装置２０に取り込む際、第２部分１２と接触している紙幣１００とヘッダーカード１０とを適切に分離することができ、従来に比べてより確実にヘッダーカード１０のみを装置２０に取り込むことができる。
【００３５】
第２部分１２の材料は、ヘッダーカード１０と、紙幣１００と、載置部３０の各ローラ３２、３３、３４との間における摩擦係数の関係が所定の関係を満たすように選択されるが、上述のように合成高分子化合物が好適である。第２部分１２は、合成高分子化合物から主に形成されたものであってもよいし（主原料が合成高分子化合物）、実質的に合成高分子化合物のみから形成されたものであってもよい。
また、第２部分１２は、第２部分１２と紙幣１００が接触したときに静電気が発生しない材料から構成されることがより好ましい。
【００３６】
図３（ａ）及び（ｂ）に示したように、ヘッダーカード１０は、長方形状の基材１３を備え、基材１３上に部分的に合成高分子化合物を含有する層（以下、樹脂層）が設けられている。この樹脂層が第２部分１２として機能し、樹脂層が設けられていない基材１３の他の領域が第１部分１１として機能している。したがって、ヘッダーカード１０の表面は、第２部分１２に起因する凹凸が形成されている。そして、第２部分１２を含む領域のヘッダーカード１０の厚みは、第１部分１１を含む領域のヘッダーカード１０の厚みよりも大きくなっている。これにより、ヘッダーカード１０に荷重がかかった時に樹脂層が沈み込むことに起因して摩擦が増加することを抑制することができる。また、ヘッダーカード１０上に紙幣１００を積層した場合にヘッダーカード１０と紙幣１００との間に空間が形成されるため、ヘッダーカード１０の繰り出し時に上の紙幣１００がフィードローラ３２に接触してヘッダーカード１０と一緒に繰り出されるのを抑制することができる。更に、このような空間が形成されるため、ヘッダーカード１０の繰り出し時に上の紙幣１００がキックローラ３４の送り出す影響を受け難くなり、下のヘッダーカード１０のみを効果的に繰り出すことができる。また、紙幣１００上にヘッダーカード１０を積層した場合も同様に、紙幣１００がヘッダーカード１０と一緒に繰り出されるのを抑制できるとともに、下の紙幣１００のみを効果的に繰り出すことができる。
【００３７】
第２部分１２は、例えば、基材１３に合成高分子化合物を含有するシート（テープ）を貼り付けることによって形成されてもよい。また、基材１３上に合成高分子化合物を含有する材料をコーティングすることによって形成してもよい。更に、第２部分１２は、第１部分１１と一体的に形成してもよい（一体形成）。一体的に形成する場合、例えば、基材１３を金型に配置し、基材１３上に部分的に第２部分１２を射出成型してもよい。この結果、第２部分１２とともに、基材１３の第２部分１２が形成されていない領域を第１部分１１として同時に形成することができる。
【００３８】
第２部分１２に含まれる合成高分子化合物の好適な例としては、ポリアセタール、ナイロン、フッ素樹脂、ポリオレフィン、アクリル樹脂、ポリイミド、ポリエーテル、ポリエステル、ポリ塩化ビニル等が挙げられる。これらは何れかを単独で用いることもでき、二種以上を併用することもできる。ポリオレフィンの好適な例としては、ポリエチレンが挙げられる。ポリエーテルとしては、例えばポリエーテルエーテルケトン（ＰＥＥＫ）を用いることができる。アクリル樹脂及びポリイミドについては、柔軟性を有するものが好適である。
【００３９】
ヘッダーカード１０の第１部分１１及び基材１３の材料としては、植物繊維を素材にした紙が好適であるが、ポリエチレンテレフタレート（ＰＥＴ）等の合成高分子化合物等も挙げられる。ただし、ヘッダーカード１０の第１部分１１及び基材１３が合成高分子化合物を含む場合は、処理対象の紙幣１００の基材は、植物繊維を素材にした紙であることが好ましい。ヘッダーカード１０の第１部分１１及び基材１３用の合成高分子化合物は、ポリエチレンテレフタレート以外の材料であっても薄いシート状に作製できれば使用することができる。
【００４０】
第２部分１２は、ヘッダーカード１０の表面に設けられており、好ましくは第１面及び第２面の少なくとも一方に設けられる。なお、ここで、第１面及び第２面とは、それぞれ、ヘッダーカード１０の一方及び他方の主面を意味する。
【００４１】
第２部分１２は、ヘッダーカード１０の両面、すなわち第１面及び第２面にそれぞれ設けられてもよい。これにより、ヘッダーカード１０の両面のいずれの面においても上述の摩擦軽減効果が得られることから、第１面及び第２面のいずれの面も使用することができる。
【００４２】
第２部分１２がヘッダーカード１０の両面に設けられる場合、第１面に設けられた第２部分１２と、第２面に設けられた第２部分１２とは、平面視において互いに重なる位置に設けられていることが好ましい。これによっても、ヘッダーカード１０に荷重がかかった時に樹脂層が沈み込むことに起因して摩擦が増加することを抑制することができる。
【００４３】
第１部分１１についても、第２部分１２と同様にヘッダーカード１０の表面に設けられているが、第１面及び第２面にそれぞれ設けられることが好ましい。
【００４４】
第２部分１２は、搬送力に影響しないようにキックローラ３４上及びゲートローラ３３上を通過しないように配置されることが好ましい。このような観点から、図４（ａ）〜（ｆ）及び図５（ａ）〜（ｄ）に示すように、第２部分１２は、ヘッダーカード１０及び紙幣１００の搬送方向と平行な複数の直線上にそれぞれ配置されることが好ましい。図４（ａ）〜（ｆ）のパターンは、ゲートローラ３３が３つ又は４つの場合に好適であり、図５（ａ）〜（ｄ）のパターンは、ゲートローラ３３が２つの場合に好適である。なお、図４（ａ）〜（ｆ）及び図５（ａ）〜（ｄ）に示したパターンでは、第２部分１２は、ヘッダーカード１０の両面の同じ位置に同一形状にて設けられている。すなわち、図４（ａ）〜（ｆ）及び図５（ａ）〜（ｄ）は、ヘッダーカード１０の両面の第２部分１２のパターンを示している。
【００４５】
図４（ａ）に示したように、第２部分１２は、搬送方向と平行な４本の直線上に直線状に設けられてもよい。また、図４（ｂ）に示したように、第２部分１２は、搬送方向と平行な４本の直線上において前端部と後端部とにそれぞれ設けられてもよい。また、図４（ｃ）に示したように、第２部分１２は、搬送方向と平行な４本の直線上において前端部と中央部と後端部とにそれぞれ設けられてもよい。また、図４（ｄ）に示したように、第２部分１２は、搬送方向と平行な４本の直線上に破線状に設けられてもよい。図４（ａ）〜（ｄ）に示したパターンでは、第２部分１２は、左右方向において均等に配置されており、左右の端部と、ヘッダーカード１０を左右方向において３等分する箇所とにそれぞれ配置されている。また、図４（ｅ）に示したように、第２部分１２は、搬送方向と平行な２本の直線上に直線状に設けられ、それら２本のパターンがそれぞれ左右の端部に配置されてもよい。また、図４（ｆ）に示したように、第２部分１２は、搬送方向と平行な２本の直線上に直線状に設けられ、それら２本のパターンが中央の２か所（ヘッダーカード１０を左右方向において３等分する箇所）に配置されてもよい。
【００４６】
図５（ａ）に示したように、第２部分１２は、搬送方向と平行な３本の直線上に直線状に設けられてもよい。また、図５（ｂ）に示したように、第２部分１２は、搬送方向と平行な３本の直線上において前端部と後端部とにそれぞれ設けられてもよい。また、図５（ｃ）に示したように、第２部分１２は、搬送方向と平行な３本の直線上において前端部と中央部と後端部とにそれぞれ設けられてもよい。また、図５（ｄ）に示したように、第２部分１２は、搬送方向と平行な３本の直線上に破線状に設けられてもよい。図５（ａ）〜（ｄ）に示したパターンでは、第２部分１２は、左右方向において均等に配置されており、左右の端部と、ヘッダーカード１０を左右方向において２等分する箇所とにそれぞれ配置されている。
【００４７】
なお、ここで、前後左右という方向については、それぞれ、ヘッダーカード１０の搬送方向、ヘッダーカード１０の搬送方向と逆の方向、ヘッダーカード１０の搬送方向を向いた時の左方向、及び、ヘッダーカード１０の搬送方向を向いた時の右方向を意味する。
【００４８】
また、図４（ａ）、（ｃ）、（ｄ）及び（ｅ）と、図５（ａ）、（ｃ）及び（ｄ）とに示したように、第２部分１２は、ヘッダーカード１０の短手方向に沿ってヘッダーカード１０の縁部に設けられていてもよいし、図４（ａ）、（ｃ）、（ｄ）及び（ｆ）と、図５（ａ）、（ｃ）及び（ｄ）とに示したように、第２部分１２は、ヘッダーカード１０の縁部以外の部分に設けられていてもよい。
【００４９】
第２部分１２は、ヘッダーカード１０に直交する回転軸線及びヘッダーカード１０に平行な回転軸線の少なくとも一方を回転中心とする、回転対称形状を有することが好ましい。これにより、回転中心で回転した状態であれば、いずれの状態でもヘッダーカード１０を使用することができる。
【００５０】
上記回転対称形状は、第２部分１２の全体の形状であってもよいし、第２部分１２の一部の形状であってもよい。後者の場合、第２部分１２は、回転中心をもたない形状部分を含んでいてもよい。
【００５１】
具体的には、例えば、図４（ａ）〜（ｆ）及び図５（ａ）〜（ｄ）に示した第２部分１２は、ヘッダーカード１０に直交する回転軸線１０１と、ヘッダーカード１０に平行な回転軸線１０２及び１０３とを回転中心とする、２回対称の形状（１８０°回転させると自らと重なる形状）である。なお、回転軸線１０１は、紙面に直交する線であるので、図４（ａ）〜（ｆ）及び図５（ａ）〜（ｄ）では点で示している。これらの図に示したように、第２部分１２が回転対称形状を有する場合は、その回転軸線は、ヘッダーカード１０の中心を通るものであってもよいし、ヘッダーカード１０の長手方向又は短手方向と平行であってもよい。
【００５２】
図６〜８に示すように、第２部分１２を含む領域のヘッダーカード１０の厚みｈは、紙幣処理装置２０の搬送路４０の高さ以下である限り特に限定されないが、厚みｈは、大きいほど上述の摩擦軽減効果も大きくなる。搬送路４０の高さは、通常、１〜１．２ｍｍであるので、厚みｈは、１ｍｍ以下であることが好ましい。第２部分１２がヘッダーカード１０の両面にそれぞれ設けられる場合は、厚みｈは、片面で０．５ｍｍ以下であることが好ましい。厚みｈの下限についても特に限定されないが、０．６ｍｍ以上であることが好ましく、第２部分１２がヘッダーカード１０の両面にそれぞれ設けられる場合は、片面で０．３ｍｍ以上であることが好ましい。
【００５３】
図６に示すように、第２部分１２は、角が直角のシート状の樹脂層を基材１３に貼り付けることによって形成されてもよい。また、図７に示すように、第２部分１２は、角がＣ面（スクイ面）形状のシート状の樹脂層を基材１３に貼り付けることによって形成されてもよい。また、図８に示すように、第２部分１２は、角がＲ形状のシート状の樹脂層を基材１３に貼り付けることによって形成されてもよい。図７及び８に示した場合では、ヘッダーカード１０のジャムの発生を軽減することができる。
【００５４】
第２部分１２を設けることによって、上述のようにヘッダーカード１０と紙幣１００との同時搬送は抑制できるが、同時搬送された場合に備え、図９に示すように、第２部分１２に加え、ヘッダーカードであることを示す磁気情報をもった磁気情報部１４をヘッダーカード１０に設けてもよい。また、磁気情報部１４は、当該ヘッダーカード１０のシリアルナンバーの情報を有していてもよい。磁気情報部１４は、第２部分１２を避けて第１部分１１に設けられてもよく、図９に示すように第２部分１２と重なるように設けられてもよい。また、図９に示すように磁気情報部１４と第２部分１２とが重なる領域については、ヘッダーカード１０の断面視において、基材１３と第２部分１２（樹脂層）との間に磁気情報部１４が配置されてもよいし、基材１３と磁気情報部１４との間に第２部分１２（樹脂層）が配置されてもよい。ヘッダーカード１０に磁気情報部１４を設ける場合、磁気情報部１４は、通常、搬送方向と直交する方向に直線状に設けられる。磁気情報部１４は、搬送方向と直交する方向においてヘッダーカード１０の一端から多端まで延設されることが好ましい。磁気情報部１４の搬送方向における位置は適宜変更でき、磁気情報部１４の数や領域も、適宜変更することができる。
【００５５】
次に、ヘッダーカード１０と、載置部３０の各ローラ３２、３３、３４との関係について説明する。
配置に関しては、図１０に示すように、フィードローラ３２、ゲートローラ３３及びキックローラ３４は、ヘッダーカード１０に対向した際に、第１部分１１と接触する位置に配置されている。すなわち、ヘッダーカード１０が載置部３０から搬送路４０内に取り込まれる間、第２部分１２ではなく第１部分１１がフィードローラ３２、ゲートローラ３３及びキックローラ３４に接触するように、第１部分１１及び第２部分１２が配置されている。
【００５６】
摩擦係数（摩擦力）の関係に関しては、紙幣１００を繰り出す場合（紙幣１００上にヘッダーカード１０が乗っている状態）では、図１１に示すような関係を満たすことが好ましい。
【００５７】
なかでも、紙幣１００を繰り出す時にヘッダーカード１０を一緒に繰り出さないようにするためには、下記式（１）及び（２）を満たすことが好ましい。
紙幣１００と第２部分１２との摩擦係数＜キックローラ３４と紙幣１００との摩擦係数  （１）
紙幣１００と第２部分１２との摩擦係数＜ゲートローラ３３と第１部分１１との摩擦係数  （２）
上記式（１）を満たすことによって、紙幣１００を繰り出す時に紙幣１００とヘッダーカード１０とが多重搬送されるのを効果的に防止することができる。上記式（２）を満たすことによって、ゲートローラ３３でヘッダーカード１０を止めつつ紙幣１００を効果的に繰り出すことができる。
【００５８】
ヘッダーカード１０を繰り出す場合（ヘッダーカード１０上に紙幣１００が乗っている状態）では、図１２に示すような関係を満たすことが好ましい。
【００５９】
なかでも、ヘッダーカード１０を繰り出す時に紙幣１００を一緒に繰り出さないようにするためには、下記式（３）及び（４）を満たすことが好ましい。
紙幣１００と第２部分１２との摩擦係数＜キックローラ３４と第１部分１１との摩擦係数  （３）
紙幣１００と第２部分１２との摩擦係数＜ゲートローラ３３と紙幣１００との摩擦係数  （４）
上記式（３）を満たすことによって、ヘッダーカード１０を繰り出す時に紙幣１００とヘッダーカード１０とが多重搬送されるのを効果的に防止することができる。上記式（４）を満たすことによって、ゲートローラ３３で紙幣１００を止めつつヘッダーカード１０を効果的に繰り出すことができる。
【００６０】
なお、ここで、各ローラ３２、３３、３４を組み合わせの一方とする摩擦係数は、当該ローラ３２、３３、３４のゴム部材と媒体との間における摩擦係数を意味する。すなわち、例えば、キックローラ３４と第１部分１１との摩擦係数とは、キックローラ３４のゴム部材と第１部分１１との摩擦係数を意味する。また、各摩擦係数は、静止摩擦係数であってもよい。
【００６１】
ヘッダーカード１０は、識別部５０によって第２部分１２を検知することによって紙幣１００と判別可能である。第２部分１２の検知方法としては、厚み検知センサにより検知する方法や、光学ラインセンサで取得された画像に基づいて画像処理により検知する方法等が挙げられる。また、磁気情報部の磁気情報は、識別部５０の磁気検知センサによって読み取ることが可能である。
【００６２】
以上説明したように、本実施形態では、ヘッダーカード１０の表面に、第１部分１１と、第１部分１１と異なる材料、具体的には合成高分子化合物を含む材料で構成された第２部分１２とが設けられることから、ヘッダーカード１０を紙幣処理装置２０に取り込む際、第２部分１２と接触している紙幣１００とヘッダーカード１０とを適切に分離することができ、従来に比べてより確実にヘッダーカード１０のみを装置２０に取り込むことができる。
【００６３】
なお、上記実施形態では、紙幣１００が、紙幣処理装置２０内の搬送路４０を短手方向に搬送される場合について説明したが、紙幣１００は、紙幣処理装置２０内の搬送路を長手方向に搬送されてもよい。この場合、第２部分１２は、ヘッダーカード１０の長手方向に沿ってヘッダーカード１０の縁部に設けられてもよい。
【００６４】
また、本発明の対象となる紙葉類としては、紙幣の他、小切手、商品券、手形、帳票、有価証券、カード状媒体等の様々な紙葉類が適用可能である。
【００６５】
以上、図面を参照しながら本発明の実施形態を説明したが、本発明は、上記実施形態に限定されるものではない。また、各実施形態の構成は、本発明の要旨を逸脱しない範囲において適宜組み合わされてもよいし、変更されてもよい。
【産業上の利用可能性】
【００６６】
以上のように、本発明は、紙葉類と重ねて紙幣処理装置の載置部に載置されたヘッダーカードを、紙葉類と分離して紙幣処理装置に取り込むのに有用な技術である。
【符号の説明】
【００６７】
１：ヘッダーカードシステム
１０：ヘッダーカード
１１：第１部分
１２：第２部分
１３：基材
１４：磁気情報部
２０：紙幣処理装置（紙葉類処理装置）
３０：載置部
３１：ステージ
３２：フィードローラ
３３：ゲートローラ
３４：キックローラ
３５：ゲート部
４０：搬送路
５０：識別部
６０ａ〜６０ｄ：集積部
８０：リジェクト部
１００：紙幣（紙葉類）
１０１〜１０３：回転軸線
ｈ：ヘッダーカードの厚み
【図１】
2020052649.tif 000003
【図２】
2020052649.tif 000004
【図３】
2020052649.tif 000005
【図４】
2020052649.tif 000006
【図５】
2020052649.tif 000007
【図６】
2020052649.tif 000008
【図７】
2020052649.tif 000009
【図８】
2020052649.tif 000010
【図９】
2020052649.tif 000011
【図１０】
2020052649.tif 000012
【図１１】
2020052649.tif 000013
【図１２】
2020052649.tif 000014